(57)【要約】【課題】ＡＶストリームと非ＡＶストリームとが連続して交互に読み込まれる場合であっても、シーク時間を短縮させる。【解決手段】非ＡＶストリームを非ＡＶストリーム領域２０３に記録する際に、非ＡＶストリーム領域２０３に空きが無い場合には、非ＡＶストリーム領域２０３をクローズした後に、ＡＶストリーム領域２０４から未使用領域を分割し、記録済みのＡＶストリーム領域３０６および中間状態領域３０７を生成するとともに、ＡＶストリーム領域３０６をクローズする。そして、中間状態領域３０７を分割し、新ＭＤ領域３０８と新ＡＶストリーム領域３０９とを生成する。【選択図】図６
2009163788.tif 000002
【特許請求の範囲】
【請求項１】
追記型記録媒体に情報を記録させ、当該追記型記録媒体に記録された情報を再生させる情報記録再生装置であって、
少なくとも、ユーザデータのデータ構造を管理するファイル管理情報を記録する管理領域と、ユーザデータに含まれる音声映像情報を記録する音声映像領域と、ユーザデータに含まれる非音声映像情報を記録する非音声映像領域とを前記追記型記録媒体内に生成する領域生成手段と、
前記管理領域または前記非音声映像領域の記録容量が不足して、前記ファイル管理情報または前記非音声映像情報を追加して記録することができない場合に、当該記録することができない前記管理領域または前記非音声映像領域をクローズし、前記音声映像領域を、既に記録済みの領域と未使用の領域とに分割し、当該既に記録済みの領域として分割された音声映像領域をクローズする第一の分割手段と、
前記第一の分割手段によって分割された前記未使用の領域を、新たな前記管理領域または新たな前記非音声映像領域と新たな前記音声映像領域とに分割する第二の分割手段と、
前記第二の分割手段によって分割された新たな前記管理領域または新たな前記非音声映像領域に、前記ファイル管理情報または前記非音声映像情報を追加して記録する記録手段と、
を備えることを特徴とする情報記録再生装置。
【請求項２】
前記記録手段は、新たな前記管理領域または新たな前記非音声映像領域が、前記第二の分割手段によって複数生成された場合には、最新の前記管理領域または最新の前記非音声映像領域に、前記ファイル管理情報または前記非音声映像情報を追加して記録することを特徴とする請求項１記載の情報記録再生装置。
【請求項３】
前記管理領域に記録された情報を、当該管理領域のバックアップ領域に記録するバックアップ手段をさらに備え、
前記バックアップ手段は、前記バックアップ領域の記録容量が不足した場合には、前記音声映像領域のうちの未使用の領域の一部を、前記バックアップ領域に割り当てることを特徴とする請求項１または２記載の情報記録再生装置。
【請求項４】
追記型記録媒体に情報を記録させ、当該追記型記録媒体に記録された情報を再生させる情報記録再生装置における情報記録方法であって、
前記情報記録再生装置が、
少なくとも、ユーザデータのデータ構造を管理するファイル管理情報を記録する管理領域と、ユーザデータに含まれる音声映像情報を記録する音声映像領域と、ユーザデータに含まれる非音声映像情報を記録する非音声映像領域と、を追記型記録媒体内に生成する領域生成ステップと、
前記管理領域または前記非音声映像領域の記録容量が不足して、前記ファイル管理情報または前記非音声映像情報を追加して記録することができない場合に、当該記録することができない前記管理領域または前記非音声映像領域をクローズし、前記音声映像領域を、既に記録済みの領域と未使用の領域とに分割し、当該既に記録済みの領域として分割された音声映像領域をクローズする第一の分割ステップと、
前記第一の分割ステップにおいて分割された前記未使用の領域を、新たな前記管理領域または新たな前記非音声映像領域と新たな前記音声映像領域とに分割する第二の分割ステップと、
前記第二の分割ステップにおいて分割された新たな前記管理領域または新たな前記非音声映像領域に、前記ファイル管理情報または前記非音声映像情報を追加して記録する記録ステップと、
を備えることを特徴とする情報記録方法。
【発明の詳細な説明】
【技術分野】
【０００１】
本発明は、情報記録再生装置および情報記録方法に関し、特に追記型記録媒体に情報を記録させ、当該追記型記録媒体に記録された情報を再生させる情報記録再生装置に関するものである。
【背景技術】
【０００２】
ＤＶＤ（Digital Versatile Disc）に代表される光ディスクのファイルフォーマットとして、ＵＤＦ（Universal Disk Format）が知られており、現在、ＵＤＦ２．５が提案されている。このＵＤＦ２．５に準拠したファイルシステムでは、ファイル管理情報の二重化と、ファイル管理情報の集中配置とが特徴となっている。ここで、ファイル管理情報とは、記録媒体のどの位置にどのようなファイルが存在するかを示す情報であって、記録媒体にファイルが書き込まれたり、逆に記録媒体からファイルが消去されたりしたときに更新される情報である。また、ファイル管理情報の二重化とは、記録媒体上の離れた２カ所（例えば、ディスクの内周側と外周側）に、同一のファイル管理情報をそれぞれ記録することをいう。これにより、２カ所に記録されている同一のファイル管理情報のうち、仮に一方のファイル管理情報が記録媒体の傷や劣化に起因して読み出せない場合であっても、他方のファイル管理情報を読み出すことができる。したがって、ファイル管理情報が読めないために、記録媒体に記録されているファイルが読み出せなくなるという事態を防止することができる。また、ファイル管理情報の集中配置とは、１つのファイル管理情報を分散させることなく、記録媒体に連続して記録することをいう。これにより、ファイル管理情報を速やかに読み出すことができるため、記録されているファイルを読み出すまでに要する時間を短縮することができる。
【０００３】
下記特許文献１には、ＵＤＦ２．５準拠の記録媒体に、ファイル管理情報やその他の情報の領域を集中配置し、その領域がフルになった場合に、異なる領域を割り当てる方法について開示されている。ＵＤＦ２．５準拠のファイルフォーマットは、例えば、ＢＤ−ＲＥ(Blu-ray  Disc  Rewritable)等の書換型の記録媒体を対象としたものである。したがって、例えば、ＢＤ−Ｒ(Blu-ray  Disc  Recordable)等の追記型（ライトワンス型）の記録媒体にデータを上書きすることについてまでは考慮されていない。そこで、特許文献１では、ＩＳＡ／ＯＳＡという別の領域に更新データを記録することで追記型の記録媒体におけるデータの上書きを実現している。
【０００４】
一方、近年ＢＤ−Ｒ等の追記型の記録媒体を対象としたＵＤＦ２．６準拠のファイルフォーマットが提案されている。このＵＤＦ２．６に準拠した追記型記録媒体では、ＵＤＦ２．５に準拠した書換型記録媒体と同様に、ユーザデータの追記に伴ってファイル管理情報（Meta Data、以下ＭＤという。）が更新された場合に、ＭＤをファイル管理情報領域（以下、ＭＤ領域という。）に記録している。さらに、ファイル管理情報の二重化のために、このＭＤのバックアップであるMetadata Mirror情報（以下ＭＤＭという。）をＭＤＭ領域にも記録している。
【０００５】
ここで、追記型の記録媒体は情報の書き換えができないため、擬似書換方式（Pseudo Over Write、以下ＰＯＷという。）を採用している。ＰＯＷとは、追記型の記録媒体において、既に情報が記録された記録済領域に再度記録するようホスト等から記録指示を受けた場合、ドライブ装置が自動的に書換え用のＳＲＲ（Sequential Recording Range）領域に書き込みを行い、あたかも記録済領域に情報を上書きしたかのように見せかける方式である。例えば、ＭＤ領域に一度ＭＤが記録された後に、新たにＭＤをＭＤ領域に記録する際には擬似書換が行なわれる。例えば、一度ＭＤが記録された領域がＭＤ領域のうち先頭に位置する先頭領域である場合、その先頭領域に続く領域に新たなＭＤが記録される。このように記録済みの領域の代わりに未記録領域に記録することを交替記録という。そして、先頭領域から、先頭領域に続く領域へ交替記録したというリンク情報が、Defect List管理領域というＭＤ領域とは別の領域に記録される。これにより、追記型記録媒体であっても、あたかもＭＤ領域の先頭領域にＭＤを上書きしたかのように見せかけることができる。ＭＤと同様にＭＤＭについても、ＭＤＭ領域で擬似書換してリンク情報をDefect List管理領域に記録しておくことにより、追記型記録媒体であっても、あたかもＭＤＭ領域に上書きしたかのように見せかけることができる。
【０００６】
また、下記特許文献２および３には、非ユーザデータ領域である管理情報領域（ＭＤ領域）の残量が少なくなった場合に、ユーザデータ領域の一部に管理情報を記録させることに関する技術が開示されている。
【特許文献１】特開２００６−１２７７００号公報
【特許文献２】特開２００５−３５３２４３号公報
【特許文献３】特開２００５−００４９５２号公報
【発明の開示】
【発明が解決しようとする課題】
【０００７】
ところで、上記特許文献１〜３に記載の技術では、一のファイル記録領域に全てのユーザデータを記録している。したがって、例えば、ＣＬＩＰファイルやＰＬＡＹＬＩＳＴファイルなどの非ＡＶストリーム（非音声映像情報）と、ＡＶストリーム（音声映像情報）とが同一の記録領域に混在して記憶されることになる。これにより、例えば、ＡＶストリームと非ＡＶストリームとが連続して交互に読み込まれる場合には、シーク時間が大幅に増加してしまう。
【０００８】
本発明は以上の点を考慮してなされたもので、音声映像情報と非音声映像情報とが連続して交互に読み込まれる場合であっても、シーク時間を短縮させることができる情報記録再生装置および情報記録方法を提案するものである。
【課題を解決するための手段】
【０００９】
かかる課題を解決するため、本発明は、追記型記録媒体に情報を記録させ、当該追記型記録媒体に記録された情報を再生させる情報記録再生装置であって、少なくとも、ユーザデータのデータ構造を管理するファイル管理情報を記録する管理領域と、ユーザデータに含まれる音声映像情報を記録する音声映像領域と、ユーザデータに含まれる非音声映像情報を記録する非音声映像領域と、を追記型記録媒体内に生成する領域生成手段と、管理領域または非音声映像領域の記録容量が不足して、ファイル管理情報または非音声映像情報を追加して記録することができない場合に、当該記録することができない管理領域または非音声映像領域をクローズし、音声映像領域を、既に記録済みの領域と未使用の領域とに分割し、当該既に記録済みの領域として分割された音声映像領域をクローズする第一の分割手段と、第一の分割手段によって分割された未使用の領域を、新たな管理領域または新たな非音声映像領域と新たな音声映像領域とに分割する第二の分割手段と、第二の分割手段によって分割された新たな管理領域または新たな非音声映像領域に、ファイル管理情報または非音声映像情報を追加して記録する記録手段と、を備えることを特徴とする。
【００１０】
また、本発明は、追記型記録媒体に情報を記録させ、当該追記型記録媒体に記録された情報を再生させる情報記録再生装置における情報記録方法であって、上記情報記録再生装置が、少なくとも、ユーザデータのデータ構造を管理するファイル管理情報を記録する管理領域と、ユーザデータに含まれる音声映像情報を記録する音声映像領域と、ユーザデータに含まれる非音声映像情報を記録する非音声映像領域と、を追記型記録媒体内に生成する領域生成ステップと、管理領域または非音声映像領域の記録容量が不足して、ファイル管理情報または非音声映像情報を追加して記録することができない場合に、当該記録することができない管理領域または非音声映像領域をクローズし、音声映像領域を、既に記録済みの領域と未使用の領域とに分割し、当該既に記録済みの領域として分割された音声映像領域をクローズする第一の分割ステップと、第一の分割ステップにおいて分割された未使用の領域を、新たな管理領域または新たな非音声映像領域と新たな音声映像領域とに分割する第二の分割ステップと、第二の分割ステップにおいて分割された新たな管理領域または新たな非音声映像領域に、ファイル管理情報または非音声映像情報を追加して記録する記録ステップと、を備えることを特徴とする。
【発明の効果】
【００１１】
本発明によれば、音声映像情報と非音声映像情報とが連続して交互に読み込まれる場合であっても、シーク時間を短縮させることができる。
【発明を実施するための最良の形態】
【００１２】
以下に、添付図面を参照して、この発明に係る情報記録再生装置および情報記録方法の好適な実施形態について詳細に説明する。
【００１３】
まず、図１を参照して、本発明に係る情報記録再生装置の一例であるビデオカメラの構成について説明する。図１は、本実施形態におけるビデオカメラの構成図である。同図に示すように、ビデオカメラ１００は、レンズ１０１、撮像センサ１０２（ＣＣＤ）、カメラ信号処理部１０３、圧縮伸張部１０４、制御マイコン部１０５、信号処理部１０６（領域生成手段、第一の分割手段、第二の分割手段、記録手段、バックアップ手段）、ハードディスクドライブ１０７（ＨＤＤ）、ディスクメディア１０８、操作スイッチ１０９、充電部１１０、バッテリ１１１、外部電源入力部１１２、液晶ディスプレイ１１３（Liquid Crystal Display,LCD）、外部入出力端子１１４（Ｉ/Ｆ）、および管理情報生成部１１５を有する。ディスクメディア１０８としては、例えば、ＢＤ（Blu-ray Disc）やＤＶＤ等が該当する。なお、説明の便宜のためビデオカメラの諸機能を上記各構成に分けて記載しているが、回路設計等に応じてビデオカメラの諸機能を一または複数のチップに適宜組み込むこととしてもよい。
【００１４】
図１に示すビデオカメラ１００の各構成要素間の作用について説明する。被写体の画像は、レンズ１０１を介してＣＣＤ１０２で撮像され、電気信号に変換される。カメラ信号処理部１０３は、ＣＣＤ１０２で変換された電気信号を映像信号に変換する。
【００１５】
圧縮伸張部１０４は、制御マイコン部１０５の制御下で、カメラ信号処理部１０３で変換された映像信号をデジタル映像信号に変換する。圧縮伸張部１０４は、入力が外部入出力端子１１４に切り換えられた場合には、外部入力映像信号をデジタル映像信号に変換する。
【００１６】
信号処理部１０６は、圧縮伸張部１０４によって変換されたデジタル映像信号を、例えば、ＢＤ、ＤＶＤ、ＨＤＤ等の外部ストレージに記録する。これにより、例えば、ＵＤＦ２．６でフォーマットされたＢＤ−Ｒ（Blu-ray Disc Recordable）ディスク等の追記型記録媒体にデータが記録されることになる。
【００１７】
管理情報生成部１１５は、ユーザデータの追記等によってＭＤ情報やＭＤＭ情報等のファイル管理情報が更新されることになった場合に、ファイル管理情報を生成する。信号処理部１０６は、このファイル管理情報を、例えば、ＢＤ、ＤＶＤ、ＨＤＤ等の外部ストレージに記録する。
【００１８】
制御マイコン部１０５は、操作スイッチ１０９からの操作指示により、信号処理部１０６を制御する。信号処理部１０６は、制御マイコン部１０５の制御下で、例えば、ＢＤやＤＶＤに記録された映像信号を読み出してＨＤＤに記録することや、ＨＤＤに記録された映像信号を読み出してＢＤやＤＶＤに記録することで、メディア間のダビング処理を実行する。
【００１９】
圧縮伸張部１０４は、外部ストレージに記録された信号を映像信号に伸張し、外部入出力端子１１４または液晶ディスプレイ１１３に出力する。なお、映像を表示させるディスプレイは液晶ディスプレイには限定されず、例えば、有機ＥＬディスプレイであってもよい。
【００２０】
外部電源入力部１１２は、ＡＣ電源等の外部から供給される電力を入力する。充電部１１０は、外部電源入力部１１２から供給される電力でバッテリ１１１を充電する。これにより、外部電源入力部１１２から電源が供給されているときには、外部電源によって機器を動作させることができ、外部電源入力部１１２から電源が供給されていないときには、バッテリ１１１によって機器を動作させることができる。なお、充電に必要な機能の全てがビデオカメラ１００に内蔵されている必要はなく、外部電源入力部１１２の外部に、充電に必要な機能の一部または全部を備えることとしてもよい。
【００２１】
次に、図２および図３を参照して、ビデオカメラ１００で用いられるＢＤ−Ｒ等の光ディスク（追記型記録媒体）におけるフォーマット状態について説明する。図２は、ファイナライズ前の光ディスクのフォーマット状態を示している。図３は、ファイナライズ後の光ディスクのフォーマット状態を示している。ここで、本実施形態においては、ＭＤＭ領域にＭＤＭを記録する処理のことを、ファイナライズと定義して用いる。
【００２２】
図２および図３に示すフォーマットでは、左端に光ディスクの内周（アドレス０）が位置し、右端に光ディスクの外周が位置し、左端からアドレス順にデータが配置されることになる。図２に示すように、ファイナライズ前の光ディスクは、ＳＲＲ領域として、例えば、ＵＤＦ領域２０１、ＭＤ領域２０２（管理領域）、非ＡＶストリーム（non-Audio Video Stream）領域２０３（非音声映像領域）、ＡＶストリーム（Audio Video Stream)領域２０４（音声映像領域）およびＵＤＦ領域２０５を有する。
【００２３】
ＵＤＦ領域２０１には、ＵＤＦによるディスクのボリューム構造（Volume Structure）を管理するＵＤＦファイルが記録される。ボリューム構造とは、ＵＤＦフォーマットとしてどの情報がどの領域に記録されているのかを示す構造をいう。ＵＤＦ領域２０５には、ＵＤＦ領域２０１に記録されるＵＤＦファイルのバックアップファイルがコピーされる。
【００２４】
ＭＤ領域２０２には、ＭＤが記録される。ＭＤは、シーンの記録や編集等の処理に応じて記録されるファイル管理情報であり、例えば、ユーザデータのディレクトリ構造のような、ユーザデータのデータ構造（file Structure）を管理するための情報である。
【００２５】
非ＡＶストリーム領域２０３には、ユーザデータのうち、例えば、ＣＬＩＰファイルやＰＬＡＹＬＩＳＴファイルなどの非ＡＶストリームファイルの実体データ（非音声映像情報）が記録される。ＡＶストリーム領域２０４には、ユーザデータのうち、例えば、ＡＶストリームファイルの実体データ（音声映像情報）が記録される。なお、ＡＶストリームには、映像や音声コンテンツのみならず、例えば、字幕やロゴなどの提示時刻のリアルタイム性が重要となる文字列や静止画等その他のコンテンツも含まれる。また、Defect List管理領域は、例えば、ＵＤＦ領域２０１よりも内周側に配置されるが、本実施形態では説明の便宜のため図示を省略する。
【００２６】
図３に示すように、ファイナライズ後の光ディスクは、ファイナライズ前の光ディスクが有する各ＳＲＲ領域に加えて、ＭＤＭ領域８０６を有する点で、ファイナライズ前の光ディスクとは異なる。ＭＤＭ領域８０６には、ＭＤをバックアップするためのMetadata Mirror情報が記録される。
【００２７】
本実施形態におけるビデオカメラ１００は、ＵＤＦ２．６に準拠した記録媒体を用いて各種情報を記録・再生する情報記録再生装置であって、ＭＤ領域２０２または非ＡＶストリーム領域２０３が飽和した場合に、ＡＶストリーム領域２０４から必要な領域を割り当てるものである。
【００２８】
次に、図４を参照して、本実施形態におけるビデオカメラ１００で一シーンを記録した場合の処理の流れについて説明する。図４は、一シーンを記録した場合の処理の流れを示すフローチャートである。ここで、一シーンとは、ビデオカメラ１００の録画ボタンが押下されてから録画停止ボタンが押下されるまでの間に記録されるシーンをいう。
【００２９】
最初に、信号処理部１０６は、ＭＤ領域、非ＡＶストリーム領域およびＡＶストリーム領域におけるＰＯＷの書込先を、自領域であるＭＤ領域２０２、非ＡＶストリーム領域２０３およびＡＶストリーム領域２０４にそれぞれ設定する（ステップＳ１）。なお、ＰＯＷの書込処理については後述する。
【００３０】
続いて、信号処理部１０６は、ＡＶストリームをＡＶストリーム領域２０４に記録する（ステップＳ２）。続いて、信号処理部１０６は、ＣＬＩＰファイルなどの非ＡＶストリームを非ＡＶストリーム領域２０３に記録し（ステップＳ３）、非ＡＶストリーム領域の空き判定処理を実行する（ステップＳ４）。この非ＡＶストリーム領域の空き判定処理については、後述する。
【００３１】
続いて、信号処理部１０６は、ＭＤをＭＤ領域２０２に記録し（ステップＳ５）、ＭＤ領域の空き判定処理を実行する（ステップＳ６）。この非ＡＶストリーム領域の空き判定処理については、後述する。
【００３２】
なお、一シーンを編集した場合には、上述した図４に示す各ステップからステップＳ２を除いた処理が実行されることになる。
【００３３】
次に、図５および図６を参照して、上述した非ＡＶストリーム領域の空き判定処理について説明する。図５は、非ＡＶストリーム領域の空き判定処理の流れを示すフローチャートであり、図６は、非ＡＶストリーム領域の空き判定処理において空きがない場合に実行されるフォーマット変更の遷移状態を模式的に示す図である。
【００３４】
最初に、信号処理部１０６は、非ＡＶストリーム領域２０３に空きが無いかどうかを判定する（ステップＳ１１）。この判定がＮＯである場合（ステップＳ１１；ＮＯ）には、非ＡＶストリーム領域の空き判定処理を終了させる。
【００３５】
一方、ステップＳ１１の判定で非ＡＶストリーム領域２０３に空きが無いと判定された場合（ステップＳ１１；ＹＥＳ）に、信号処理部１０６は、非ＡＶストリーム領域を新規に作成するための空き領域がＡＶストリーム領域２０４に有るか否かを判定する（ステップＳ１２）。この判定がＮＯである場合（ステップＳ１２；ＮＯ）には、非ＡＶストリーム領域の空き判定処理を終了させる。
【００３６】
一方、ステップＳ１２の判定で上記空き領域がＡＶストリーム領域２０４に有ると判定された場合（ステップＳ１２；ＹＥＳ）に、信号処理部１０６は、非ＡＶストリーム領域２０３をクローズする（ステップＳ１３）。
【００３７】
続いて、信号処理部１０６は、図６(ａ)に示すＡＶストリーム領域２０４から未使用領域を分割し、図６(ｂ)に示すように、記録済みのＡＶストリーム領域３０６および中間状態領域３０７を生成するとともに、ＡＶストリーム領域３０６をクローズする（ステップＳ１４）。ここで、領域を分割する方法としては、ＡＴＡＰＩ規格で定義されているReserve TrackコマンドやSplitコマンドなどを用いることができる。
【００３８】
続いて、信号処理部１０６は、図６(ｂ)に示す中間状態領域３０７を分割し、図６（ｃ）に示す新非ＡＶストリーム領域３１０と新ＡＶストリーム領域３１１とを生成する（ステップＳ１５）。
【００３９】
続いて、信号処理部１０６は、非ＡＶストリーム領域およびＡＶストリーム領域におけるＰＯＷの書込先を、それぞれ新非ＡＶストリーム領域３１０および新ＡＶストリーム領域３１１に変更する（ステップＳ１６）。
【００４０】
次に、図７および図８を参照して、上述したＭＤ領域の空き判定処理について説明する。図７は、ＭＤ領域の空き判定処理の流れを示すフローチャートであり、図８は、ＭＤ領域の空き判定処理において空きがない場合に実行されるフォーマット変更の遷移状態を模式的に示す図である。
【００４１】
最初に、信号処理部１０６は、ＭＤ領域２０２に空きが無いかどうかを判定する（ステップＳ２１）。この判定がＮＯである場合（ステップＳ２１；ＮＯ）には、ＭＤ領域の空き判定処理を終了させる。
【００４２】
一方、ステップＳ２１の判定でＭＤ領域２０２に空きが無いと判定された場合（ステップＳ２１；ＹＥＳ）に、信号処理部１０６は、ＭＤ領域を新規に作成するための空き領域がＡＶストリーム領域２０４に有るか否かを判定する（ステップＳ２２）。この判定がＮＯである場合（ステップＳ２２；ＮＯ）には、ＭＤ領域の空き判定処理を終了させる。
【００４３】
一方、ステップＳ２２の判定で上記空き領域がＡＶストリーム領域２０４に有ると判定された場合（ステップＳ２２；ＹＥＳ）に、信号処理部１０６は、ＭＤ領域２０２をクローズする（ステップＳ２３）。
【００４４】
続いて、信号処理部１０６は、図８(ａ)に示すＡＶストリーム領域２０４から未使用領域を分割し、図８(ｂ)に示すように、記録済みのＡＶストリーム領域３１６および中間状態領域３１７を生成するとともに、ＡＶストリーム領域３１６をクローズする（ステップＳ２４）。
【００４５】
続いて、信号処理部１０６は、図８(ｂ)に示す中間状態領域３１７を分割し、図８（ｃ）に示す新ＭＤ領域３１８と新ＡＶストリーム領域３１９とを生成する（ステップＳ２５）。
【００４６】
続いて、信号処理部１０６は、ＭＤ領域およびＡＶストリーム領域におけるＰＯＷの書込先を、それぞれ新ＭＤ領域３１８および新ＡＶストリーム領域３１９に変更する（ステップＳ２６）。
【００４７】
次に、上述したＰＯＷの書込処理について詳細に説明する。ＰＯＷの書込処理は、信号処理部１０６によって次のように行われる。既に情報が記録されているセクタに再度情報を記録させるための上書更新指示を受信した場合に、書込先のＳＲＲ領域に更新情報を記録するとともに、既に情報が記録されているセクタであるＰＯＷの書込元セクタのアドレスと、実際に更新情報が記録されたセクタであるＰＯＷの書込先セクタのアドレスとを含む交替情報をDefect List管理領域に記録する。なお、書込先のＳＲＲ領域は、ＰＯＷの書込元セクタが存在するＳＲＲ領域と同一の領域であってもよいし、異なる領域であってもよい。
【００４８】
本実施形態においては、ＰＯＷの書込元セクタを含むＳＲＲ領域に空きがある(非飽和)場合は、そのＳＲＲ領域に更新情報を書き込み、ＰＯＷの書込元セクタを含むＳＲＲ領域に空きがない（飽和）場合は、新規に割り当てた異なるＳＲＲ領域に更新情報を書き込むこととした。なお、上述した一シーンを記録した場合の処理（図４参照）では、ＰＯＷの書込元セクタを含むＳＲＲ領域が、ＭＤ領域２０２および非ＡＶストリーム領域２０４である場合について説明している。
【００４９】
ここで、図９〜図１１を参照して、ＰＯＷの書込処理について説明する。図９は、ＰＯＷの書込処理の流れを示すフローチャートである。図１０は、ＰＯＷの書込処理においてＰＯＷの書込元セクタのＳＲＲ領域に空きがある場合に実行される書き込み処理の状態を模式的に示す図である。図１１は、ＰＯＷの書込処理においてＰＯＷの書込元セクタのＳＲＲ領域に空きがない場合に実行される書き込み処理の状態を模式的に示す図である。
【００５０】
最初に、信号処理部１０６は、情報を記録するように指示された場合に、その情報を記録するセクタが、既に記録済みのセクタか否かを判定する（ステップＳ５１）。この判定がＮＯである場合（ステップＳ５１；ＮＯ）に、信号処理部１０６は、情報を空き領域に追記する通常の記録処理を実行して（ステップＳ５２）、ＰＯＷの書込処理を終了する。
【００５１】
一方、ステップＳ５１の判定で既に記録済みのセクタであると判定された場合、すなわち上述した上書更新指示を受信した場合（ステップＳ５１；ＹＥＳ）に、信号処理部１０６は、設定されているＰＯＷの書込先ＳＲＲ領域に空きが有るか否かを判定する（ステップＳ５３）。
【００５２】
この判定で、設定されているＰＯＷの書込先ＳＲＲ領域に空きが有ると判定された場合（ステップＳ５３；ＹＥＳ）に、信号処理部１０６は、設定されているＰＯＷの書込先ＳＲＲ領域に、更新情報を記録する（ステップＳ５４）とともに、交替情報をDefect List管理領域に記録する（ステップＳ５５）。ここで、図１０を参照して具体的に説明する。設定されているＰＯＷの書込先ＳＲＲ領域５０１は、ＳＲＲ領域の先頭から途中までが記録済みの領域５０１ａ、５０１ｂであり、残りが未使用の領域であることを示している。ＳＲＲ領域５０１に対して情報５０１ｂを上書更新するように指示された場合には、まず、ＳＲＲ領域５０１に情報５０１ｂに対する更新情報を記録するための空きが有るか否かを判定する。そして、図１０に示すように、空きが有るときには、ＳＲＲ領域５０１の情報５０１ｂの記録領域に続く追記可能な空き領域に更新情報５０１ｃが記録されることになる。
【００５３】
一方、ステップＳ５３の判定で、設定されているＰＯＷの書込先ＳＲＲ領域に空きが無いと判定された場合（ステップＳ５３；ＮＯ）に、信号処理部１０６は、新規に割り当てられたＰＯＷの書込先ＳＲＲ領域に、更新情報を記録する（ステップＳ５６）とともに、交替情報をDefect List管理領域に記録する（ステップＳ５５）。ここで、図１１を参照して具体的に説明する。設定されているＰＯＷの書込先ＳＲＲ領域６０１は、ＳＲＲ領域の先頭から途中までが記録済みの領域６０１ａ、６０１ｂであり、残りが未使用の領域であることを示している。ＳＲＲ領域６０１に対して情報６０１ｂを上書更新するように指示された場合には、まず、ＳＲＲ領域６０１に情報６０１ｂに対する更新情報を記録するための空きが有るか否かを判定する。そして、図１１に示すように、空きが無いときには、新規に割り当てられたＳＲＲ領域７０１の情報７０１ａの記録領域に続く追記可能な空き領域に更新情報７０１ｂが記録されることになる。
【００５４】
次に、図１２を参照して、ＭＤ領域、非ＡＶストリーム領域、ＡＶストリーム領域が分散配置された光ディスクにおけるフォーマット状態を説明する。図１２は、ファイナライズ後の光ディスクのフォーマット状態を示している。図３と同様の項目については同番号を付し、その説明を省略する。
【００５５】
ＭＤ領域９０１、９０３は、ＡＶストリーム領域２０４から分割されて新規に割り当てられたＭＤ領域であり、非ＡＶストリーム領域９０５は、ＡＶストリーム領域２０４から分割されて新規に割り当てられた非ＡＶストリーム領域であり、ＡＶストリーム領域９０２、９０４，９０６は、ＡＶストリーム領域２０４から分割されて新規に割り当てられたＡＶストリーム領域である。
【００５６】
ＭＤＭ領域８０６のサイズは、ＭＤ領域２０２、９０１、９０３に割り当てられたサイズと同等になる。具体的に説明すると、ＭＤＭ領域８０６のサイズは、例えば、ＭＤ領域がＭＤ領域２０２のみである場合には、ＭＤ領域２０２と同じサイズが割り当てられる。ＭＤ領域としてＭＤ領域９０１やＭＤ領域９０３がさらに追加された場合には、ＭＤＭ領域８０６の直前にある最新のＡＶストリーム領域内の空き領域のうち、最新のＡＶストリーム領域の最後尾アドレスを含む連続領域が、ＭＤ領域９０１やＭＤ領域９０３のＭＤを記録する領域としてＭＤＭ領域８０６に新たに割り当てられる。すなわち、ＭＤＭ領域８０６が拡張されることになり、ＭＤＭ領域８０６が拡張された分だけ、最新のＡＶストリーム領域が減縮されることになる。
【００５７】
このように、ＭＤ領域が新規に割り当てられるたびに、ＡＶストリーム領域の空き領域を用いてＭＤＭ領域を拡張することができるため、ＭＤ領域が分散して割り当てられていった場合であっても、ＭＤ領域の合計サイズに合わせてＭＤＭ領域を確保することができる。したがって、ファイナライズをする前にＭＤＭ領域を空き領域として予め確保させておく必要がなく、割り当て記憶領域の使用効率を向上させることができる。
【００５８】
以上のように本実施形態におけるビデオカメラ１００では、ＢＤ−Ｒ等の光ディスクをフォーマットする際に、ユーザデータを記録する記録領域として、ＣＬＩＰファイルやＰＬＡＹＬＩＳＴファイルなどの非ＡＶストリームファイルの実体データを記録する非ＡＶストリーム領域と、ＡＶストリームファイルの実体データを記録するＡＶストリーム領域とを生成させることができるため、両データを混在して一の記録領域に記録させる場合に比して格段にシーク時間を短縮させることができる。
【００５９】
また、各種フォーマット変更を実行する際には、使用しないＳＲＲ領域をクローズすることができるため、ＳＲＲ領域のオープン数を制限しながら不足したＳＲＲ領域を拡張させることができる。
【００６０】
また、各ＳＲＲ領域を後から拡張可能としたことで、ＭＤ領域、非ＡＶストリーム領域、ＭＤＭ領域に対する記録領域の初期割り当てを必要最小限に抑えることができるため、割り当て記憶領域の使用効率を向上させることができる。
【００６１】
なお、上述の実施の形態においては、本発明を図１のように構成されたビデオカメラ１００に適用するようにした場合について述べたが、本発明はこれに限らず、この他種々の構成の情報記録再生装置に広く適用することができる。
【図面の簡単な説明】
【００６２】
【図１】実施形態におけるビデオカメラの構成例を示すブロック図である。
【図２】ファイナライズ前の光ディスクのフォーマット状態を示す図である。
【図３】ファイナライズ後の光ディスクのフォーマット状態を示す図である。
【図４】一シーンを記録した場合の処理の流れを示すフローチャートである。
【図５】非ＡＶストリーム領域の空き判定処理の流れを示すフローチャートである。
【図６】非ＡＶストリーム領域の空き判定処理において空きがない場合に実行されるフォーマット変更の遷移状態を模式的に示す図である。
【図７】ＭＤ領域の空き判定処理の流れを示すフローチャートである。
【図８】ＭＤ領域の空き判定処理において空きがない場合に実行されるフォーマット変更の遷移状態を模式的に示す図である。
【図９】ＰＯＷの書込処理の流れを示すフローチャートである。
【図１０】ＰＯＷの書込処理においてＰＯＷの書込元セクタのＳＲＲ領域に空きがある場合に実行される書き込み処理の状態を模式的に示す図である。
【図１１】ＰＯＷの書込処理においてＰＯＷの書込元セクタのＳＲＲ領域に空きがない場合に実行される書き込み処理の状態を模式的に示す図である。
【図１２】ファイナライズ後の光ディスクのフォーマット状態を示す図である。
【符号の説明】
【００６３】
１００…ビデオカメラ、１０４…圧縮伸張部、１０５…制御マイコン部、１０６…信号処理部、１０７…ハードディスクドライブ、１０８…ディスクメディア、１１５…管理情報生成部、２０２、３１８…ＭＤ領域、２０３、３１０…非ＡＶストリーム領域、２０４、３０６、３１１、３１６、３１９…ＡＶストリーム領域。
【図１】
2009163788.tif 000003
【図２】
2009163788.tif 000004
【図３】
2009163788.tif 000005
【図４】
2009163788.tif 000006
【図５】
2009163788.tif 000007
【図６】
2009163788.tif 000008
【図７】
2009163788.tif 000009
【図８】
2009163788.tif 000010
【図９】
2009163788.tif 000011
【図１０】
2009163788.tif 000012
【図１１】
2009163788.tif 000013
【図１２】
2009163788.tif 000014